(57)【要約】【課題】テレビ放送の受信出力中に視聴を中断して一時録画するような事態が起きたとしても、現在の記憶容量などの状況下で効果的な録画を実現できるようにする。【解決手段】高解像度のデジタルテレビ放送を受信する１２セグ受信モードと低解像度のデジタルテレビ放送を受信する１セグ受信モードとを切り替え可能なテレビ放送受信部１１を有し、ＣＰＵ１は、１２セグ受信モードでのテレビ放送の受信出力中にその視聴を一時中断が指示された際に、１２セグ受信モードから１セグ受信モードに切り替えると共に、この１セグ受信モードで受信したテレビ放送の録画を開始する。【選択図】  図１
2010087710.tif 000002
【特許請求の範囲】
【請求項１】
高解像度のデジタルテレビ放送を受信する第１受信モードと低解像度のデジタルテレビ放送を受信する第２受信モードとを切り替え可能なデジタル放送受信装置であって、
前記第１受信モードでのテレビ放送の受信出力中に一時中断が指示されたか否かを判別する判別手段と、
この判別手段によって一時中断が指示されたと判別された際に、前記第１受信モードから前記第２受信モードへの切り替えを行う切替手段と、
この切替手段によって第２受信モードに切り替えられた際に、当該第２受信モードで受信したテレビ放送の録画動作を開始させる動作制御手段と、
を具備したことを特徴とするデジタル放送受信装置。
【請求項２】
前記切替手段は、デジタルテレビ放送の受信出力中に一時中断が指示されたときの受信モードが第１受信モードであることを条件に、第２受信モードへの切り替えを行う、
ようにしたことを特徴とする請求項１記載のデジタル放送受信装置。
【請求項３】
前記切替手段は、第２受信モードへの切り替えに先立って、第１受信モードで受信していた番組と同一番組を第２受信モードで受信可能であることを条件に、第２受信モードへの切り替えを行う、
ようにしたことを特徴とする請求項１記載のデジタル放送受信装置。
【請求項４】
前記切替手段は、第２受信モードへの切り替えに先立って、既に録画実行中でないことを条件に、第２受信モードへの切り替えを行う、
ようにしたことを特徴とする請求項１記載のデジタル放送受信装置。
【請求項５】
前記切替手段は、第２受信モードへの切り替えに先立って、録画用メモリの空き残量が所定容量以下であることを条件に、第２受信モードへの切り替えを行う、
ようにしたことを特徴とする請求項１記載のデジタル放送受信装置。
【請求項６】
前記切替手段は、第２受信モードへの切り替えに先立って、電源電池の残量が所定容量以下であることを条件に、第２受信モードへの切り替えを行う、
ようにしたことを特徴とする請求項１記載のデジタル放送受信装置。
【請求項７】
電話通信手段を更に備え、
前記判別手段は、前記第１受信モードでのテレビ放送の受信出力中に前記電話通信手段によって電話着信が検出されたか否かに基づいて前記一時中断が指示されたか否かを判別する、
ようにしたことを特徴とする請求項１記載のデジタル放送受信装置。
【請求項８】
前記判別手段は、一時中断が指示されたか否かを判別するほか、その一時中断の終了が指示されたか否かを判別し、
前記動作制御手段は、前記第２受信モードで受信したテレビ放送の録画中に前記判別手段によって一時中断の終了が指示されたと判別された際に、前記第２受信モードで録画した録画内容の再生動作を開始させる、
ようにしたことを特徴とする請求項１記載のデジタル放送受信装置。
【請求項９】
前記動作制御手段は、前記録画内容の再生が終了した際に、前記第２受信モードでの録画動作を終了させ、
前記切替手段は、前記第２受信モードでの録画を終了した際に、第２受信モードから第１受信モードへの切り替えを行う、
ようにしたことを特徴とする請求項８記載のデジタル放送受信装置。
【請求項１０】
前記判別手段は、一時中断が指示されたか否かを判別するほか、その一時中断の終了が指示されたか否かを判別し、
前記動作制御手段は、前記判別手段によって一時中断の終了が指示されたと判別された際に、前記第２受信モードでの録画動作を終了させ、
前記切替手段は、前記第２受信モードでの録画を終了した際に、第２受信モードから第１受信モードへの切り替えを行う、
ようにしたことを特徴とする請求項１記載のデジタル放送受信装置。
【請求項１１】
コンピュータに対して、
高解像度のデジタルテレビ放送を受信する第１受信モードでのテレビ放送の受信出力中に一時中断が指示されたか否かを判別する機能と、
前記一時中断が指示されたと判別された際に、前記第１受信モードから低解像度のデジタルテレビ放送を受信する第２受信モードに切り替える機能と、
前記第２受信モードに切り替えられた際に、当該第２受信モードで受信したテレビ放送の録画動作を開始する機能と、
を実現させるためのプログラム。
【発明の詳細な説明】
【技術分野】
【０００１】
この発明は、高解像度のデジタルテレビ放送を受信する第１受信モードと低解像度のデジタルテレビ放送を受信する第２受信モードとを切り替え可能なデジタル放送受信装置及びプログラムに関する。
【背景技術】
【０００２】
一般に、地上デジタルテレビ放送では、放送局毎に割り当てられている１チャンネルを１３セグメントに分割し、この分割帯域の中の１２セグメントを高画質、高音質のハイビジョン放送用（高解像度１２セグ放送用）とし、残りの１セグメントを移動体機器用（簡易型低解像度の１セグ放送用）としている。このようなデジタルテレビ放送を受信可能な携帯電話装置としては、例えば、テレビ放送の視聴中において、電話着信時には現在視聴中の放送内容を録画する録画動作を開始し、通話終了時にはその録画を継続しつつ最初から録画内容を逐次再生出力（追っかけ再生）するようにした技術が知られている（特許文献１参照）。
【特許文献１】特開２００３−１１１００４号公報
【発明の開示】
【発明が解決しようとする課題】
【０００３】
ところで、上述の１２セグ放送は、視聴には適しているものの高解像度であるが故に、それを録画しようとすると非常に多くの記憶容量が必要となるため、記憶容量の少ない携帯型受信装置では、メモリ残量との関係で１２セグ放送を録画することが難しくなる場合がある。従って、上述した先行技術では、例えば、１２セグ放送の受信視聴中に電話着信を検出したものとすると、その視聴を一時中断して録画を開始しなければならなくなるが、１２セグ放送を一時的に録画する場合であっても、その録画によって記憶容量が直ぐに不足してしまう可能性が高くなる。このことは、電池を電源とする携帯端末装置であっても同様であり、直ぐに電池残量不足になってしまう可能性が高い。
【０００４】
この発明の課題は、テレビ放送の受信出力中に視聴を中断して一時録画するような事態が起きたとしても、現在の記憶容量などの状況下で効果的な録画を実現できるようにすることである。
【課題を解決するための手段】
【０００５】
上述した課題を解決するために請求項１記載の発明は、高解像度のデジタルテレビ放送を受信する第１受信モードと低解像度のデジタルテレビ放送を受信する第２受信モードとを切り替え可能なデジタル放送受信装置であって、前記第１受信モードでのテレビ放送の受信出力中に一時中断が指示されたか否かを判別する判別手段と、この判別手段によって一時中断が指示されたと判別された際に、前記第１受信モードから前記第２受信モードへの切り替えを行う切替手段と、この切替手段によって第２受信モードに切り替えられた際に、当該第２受信モードで受信したテレビ放送の録画動作を開始させる動作制御手段と、を具備したことを特徴とする。
【０００６】
請求項１に従属する発明として、前記切替手段は、デジタルテレビ放送の受信出力中に一時中断が指示されたときの受信モードが第１受信モードであることを条件に、第２受信モードへの切り替えを行う、ようにしたことを特徴とする請求項２記載の発明であってもよい。
【０００７】
請求項１に従属する発明として、前記切替手段は、第２受信モードへの切り替えに先立って、第１受信モードで受信していた番組と同一番組を第２受信モードで受信可能であることを条件に、第２受信モードへの切り替えを行う、ようにしたことを特徴とする請求項３記載の発明であってもよい。
【０００８】
請求項１に従属する発明として、前記切替手段は、第２受信モードへの切り替えに先立って、既に録画実行中でないことを条件に、第２受信モードへの切り替えを行う、ようにしたことを特徴とする請求項４記載の発明であってもよい。
【０００９】
請求項１に従属する発明として、前記切替手段は、第２受信モードへの切り替えに先立って、録画用メモリの空き残量が所定容量以下であることを条件に、第２受信モードへの切り替えを行う、ようにしたことを特徴とする請求項５記載の発明であってもよい。
【００１０】
請求項１に従属する発明として、前記切替手段は、第２受信モードへの切り替えに先立って、電源電池の残量が所定容量以下であることを条件に、第２受信モードへの切り替えを行う、ようにしたことを特徴とする請求項６記載の発明であってもよい。
【００１１】
請求項１に従属する発明として、電話通信手段を更に備え、前記判別手段は、前記第１受信モードでのテレビ放送の受信出力中に前記電話通信手段によって電話着信が検出されたか否かに基づいて前記一時中断が指示されたか否かを判別する、ようにしたことを特徴とする請求項７記載の発明であってもよい。
【００１２】
請求項１に従属する発明として、前記判別手段は、一時中断が指示されたか否かを判別するほか、その一時中断の終了が指示されたか否かを判別し、前記動作制御手段は、前記第２受信モードで受信したテレビ放送の録画中に前記判別手段によって一時中断の終了が指示されたと判別された際に、前記第２受信モードで録画した録画内容の再生動作を開始させる、ようにしたことを特徴とする請求項８記載の発明であってもよい。
【００１３】
請求項８に従属する発明として、前記動作制御手段は、前記録画内容の再生が終了した際に、前記第２受信モードでの録画動作を終了させ、前記切替手段は、前記第２受信モードでの録画を終了した際に、第２受信モードから第１受信モードへの切り替えを行う、ようにしたことを特徴とする請求項９記載の発明であってもよい。
【００１４】
請求項１に従属する発明として、前記判別手段は、前記第１受信モードでのテレビ放送の受信出力中に一時中断が指示されたか否かを判別するほか、その一時中断の終了が指示されたか否かを判別し、前記動作制御手段は、前記判別手段によって一時中断の終了が指示されたと判別された際に、前記第２受信モードでの録画動作を終了させ、前記切替手段は、前記第２受信モードでの録画を終了した際に、第２受信モードから第１受信モードへの切り替えを行う、ようにしたことを特徴とする請求項１０記載の発明であってもよい。
【００１５】
また、上述した課題を解決するために請求項１１記載の発明は、コンピュータに対して、高解像度のデジタルテレビ放送を受信する第１受信モードでのテレビ放送の受信出力中に一時中断が指示されたか否かを判別する機能と、前記一時中断が指示されたと判別された際に、前記第１受信モードから低解像度のデジタルテレビ放送を受信する第２受信モードに切り替える機能と、前記第２受信モードに切り替えられた際に、当該第２受信モードで受信したテレビ放送の録画を開始動作する機能と、を実現させるためのプログラムを特徴とする。
【発明の効果】
【００１６】
この発明によれば、テレビ放送の受信出力中に視聴を中断して一時録画する事態が起きたとしても、現在の記憶容量などの状況下で効果的な録画を実現できるほか、ユーザにあっては高解像度によるテレビ視聴中にその視聴をどうしても一時中断しなければならないような状況になっても、一時中断中の放送内容を後で視聴することができる。
【発明を実施するための最良の形態】
【００１７】
以下、図１〜図４を参照して本発明の実施形態を説明する。
この実施形態は、デジタル放送受信装置として、デジタル放送受信機能を備えた携帯電話装置に適用した場合を例示したもので、図１は、この携帯電話装置の基本的な構成要素を示したブロック図である。
この携帯電話装置は、例えば、２つの筐体（操作部筐体、表示部筐体）が開閉可能に取り付けられた折り畳み自在なもので、通話機能、電子メール機能、インターネット接続機能（Ｗｅｂアクセス機能）、テレビ機能、録画機能、再生機能などが備えられている。このテレビ機能は、高解像度のデジタルテレビ放送（１２セグ放送）を受信する第１受信モード（１２セグ受信モード）と、１２セグ放送よりも低解像度のデジタルテレビ放送（１セグ放送）を受信する第２受信モード（１セグ受信モード）との切り替えが可能となっている。なお、録画機能は、テレビ放送を録画する機能であり、再生機能は、その録画内容を再生する機能であり、また、録画とはテレビ映像の記録に限らず、テレビ音声の録音も含む意味である（以下、同様）。
【００１８】
ＣＰＵ１は、二次電池を備えた電源部２からの電力供給によって動作し、記憶部３内の各種のプログラムに応じてこの携帯電話装置の全体動作を制御する中核的な中央演算処理装置である。記憶部３は、内部メモリであり、プログラム領域とデータ領域とを有し、このプログラム領域には、後述する図３及び図４に示す動作手順に応じて本実施形態を実現するためのプログラムが格納され、また、そのデータ領域には、録画メモリＲＤなどが設けられている。記録メディア４は、着脱自在な可搬型メモリ（外部メモリ）で、例えば、ＳＤカード、ＩＣカードなどによって構成され、撮影画像などを保存する。なお、録画メモリＲＤは、記録メディア４としてもよい。メモリ５は、ワーク領域を有する内部メモリであり、必要に応じてメモリ５内の各種のデータは、記憶部３にセーブされる。
【００１９】
電話通信部６は、無線部、ベースバンド部、多重分離部などを備え、例えば、通話機能、電子メール機能、インターネット接続機能の動作時に最寄りの基地局（図示せず）との間でデータの送受信を行う電話通信手段で、通話機能の動作時にはベースバンド部の受信側から信号を取り込んで受信ベースバンド信号に復調したのち、音声信号処理部７を介して通話用スピーカＳＰから音声出力させ、また、通話用マイクＭＣからの入力音声データを音声信号処理部７から取り込み、送信ベースバンド信号に符号化したのち、ベースバンド部の送信側に与えてアンテナから発信出力させる。
【００２０】
操作部８は、ダイヤル入力、文字入力、コマンド入力などを行うもので、この操作部８には、数値キー、文字キーのほか、着信応答を指示するオフフック釦８ａ、通話終了を指示するオンフック釦８ｂ、テレビ機能の起動や終了を指示するテレビオン／オフキー８ｃ、テレビ放送の受信出力中にその中断や中断終了を指示する中断／終了キー８ｄなどが設けられており、ＣＰＵ１は、操作部８からの入力信号に応じた処理を実行する。表示部９は、例えば、高精細液晶あるいは有機ＥＬを使用し、待受画像、テレビ映像などを表示する。報知部１０は、電話やメール着信時に駆動されて着信報知を行う。
【００２１】
テレビ放送受信部１１は、テレビ局から送信基地局を介して発信された地上波デジタル放送を受信するもので、高解像度のデジタルテレビ放送（１２セグ放送）と低解像度のデジタルテレビ放送（１セグ放送）とを受信可能となっている。なお、インターネットラジオのように無線通信網、インターネットを介してデジタル放送をダウンロード受信することもできる。そして、テレビ放送受信部１１は、テレビ映像及び音声情報以外にも電子番組表（ＥＰＧ）なども含めて受信可能なもので、ＴＶアンテナに接続されていて放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。
【００２２】
このテレビ放送受信部１１によって受信したテレビ映像データ及び文字データは、表示部９から表示出力され、また、テレビ音声データは、サウンドスピーカ１２から音声出力される。ＣＰＵ１は、１２セグ受信モードでの視聴中において、その一時中断が指示された際に、１２セグ受信モードから１セグ受信モードに切り替えると共に、この１セグ受信モードで受信したテレビ放送を録画する録画動作を開始し、その後、一時中断の終了が指示された際に、１セグ受信モードで録画した録画内容を再生する再生動作を開始するようにしている。
【００２３】
この場合、録画動作を継続しつつその録画内容を最初から逐次再生出力する追っかけ再生（早送り再生）を行うようにしている。ここで、一時中断の指示は、テレビ放送の受信出力中に中断／終了キー８ｄが操作されたとき、あるいは電話着信が検出されたときに行われる。このようにテレビ放送受信出力中に中断／終了キー８ｄが操作されたり、電話着信が検出されたりした際に開始される録画動作を、以下、“一時録画”と呼称する。
【００２４】
図２は、１２セグ放送の受信出力中にその一時中断が指示された際に、それ以降の動作内容を時系列的に説明するための図であり、図２（ａ）は、放送の受信状況、（ｂ）は、録画状況、（ｃ）は、視聴状況を示している。
図示の例は、１２セグ放送を５分間視聴した時点でその一時中断が指示され、その中断状態が５分間続いた場合を示している。この場合、１２セグ放送の受信出力中での中断指示に応答して、ＣＰＵ１は、１２セグ受信モードから１セグ受信モードに切り替えるほか、この１セグ受信モードで受信したテレビ放送を一時録画する録画動作が開始させる。
【００２５】
そして、この中断状態が５分間続いたのち、その中断終了が指示されると、録画動作を継続しつつその録画内容を最初から逐次再生出力する追っかけ再生を開始する。この場合、追っかけ再生が１．５倍の早送り再生であれば、一時録画を開始した時点から１５分が経過した時点、つまり、１セグ放送の録画内容を早送り再生する追っかけ再生を開始してから１０分が経過した時点でその録画内容が全て出力（視聴）されたことになるため、この時点で追っかけ再生を終了すると共に、１セグ受信モードから１２セグ受信モードに切り替えて元の１２セグ放送を視聴可能な状態にする。
【００２６】
次に、この実施形態における携帯電話装置の動作概念を図３及び図４に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施形態特有の動作を実行することもできる。なお、図３、図４は、携帯電話装置の全体動作のうち、本実施形態の特徴部分の動作概要を示したフローチャートであり、この図３、図４のフローから抜けた際には、全体動作のメインフロー（図示省略）に戻る。
【００２７】
図３は、テレビオン／オフキー８ｃによってテレビ放送受信部１１の起動が指示された際に実行開始されるフローチャートである。
先ず、ＣＰＵ１は、テレビ放送受信部１１が起動すると、前回のテレビ機能の終了時に設定されていた受信モードを今回の受信モードとして選択する処理を行う（ステップＡ１）。すなわち、前回のテレビ機能の終了時に第１受信モード（１２セグ受信モード）が設定されていた場合には、この１２セグ受信モードを選択し、第２受信モード（１セグ受信モード）が設定されていた場合には、この１セグ受信モードを選択する。そして、この選択受信モードでチャンネルを指定するが、この場合も前回のテレビ機能の終了時に設定されていたチャンネルを今回のチャンネルとして指定する。
【００２８】
このような初期化処理（ステップＡ１、２）が終わると、テレビ放送受信部１１から指定チャンネルの放送番組を受信し、その映像データ、音声データを出力させる受信出力動作を開始したのち（ステップＡ３）、その受信出力を継続しながら操作待ち状態となる（ステップＡ４）。いま、何らかの操作が行われると（ステップＡ４でＹＥＳ）、それはチャンネルを変更する操作であるか（ステップＡ５）、受信モードを変更する操作であるか（ステップＡ６）、テレビ放送の受信出力中にその中断を指示する操作であるか（ステップＡ７）、テレビ機能の駆動終了を指示する操作であるかを調べる（ステップＡ８）。
【００２９】
いま、チャンネル変更操作が行われたときには（ステップＡ５でＹＥＳ）、上述のステップＡ３に戻り、新たに指定されたチャンネルの放送番組を受信出力させる。また、受信モードの変更操作が行われたときには（ステップＡ６でＹＥＳ）、上述のステップＡ２に戻り、新たに選択された受信モードでチャンネル指定を行う。また、テレビ放送の受信出力中に中断／終了キー８ｄが操作されてその中断が指示されたときには（ステップＡ７でＹＥＳ）、後述するステップＡ１０に移る。また、テレビオン／オフキー８ｃが操作されてテレビ終了が指示されたときには（ステップＡ８でＹＥＳ）、この図３のフロー終了となる。また、その他の操作が行われたときには（ステップＡ８でＮＯ）、その操作対応の処理として、例えば、音量変更処理などを実行したのち（ステップＡ９）、上述のステップＡ４に戻り、操作待ち状態となる。
【００３０】
また、上述の一時中断の指示操作に応答して（ステップＡ７でＹＥＳ）、１セグ放送を録画（一時録画）するかの要否を問う確認メッセージを表示させる（ステップＡ１０）。ここで、１セグ放送の一時録画を拒否する応答操作が行われたときには（ステップＡ１１でＮＯ）、テレビ放送の出力を停止させる出力ＯＦＦ処理を実行したのち（ステップＡ２７）、上述の中断終了が指示されるまで待ち状態となるが（ステップＡ２８）、いま、中断／終了キー８ｄが操作されて中断終了が指示されると（ステップＡ２８でＹＥＳ）、テレビ放送の出力を再開させる出力ＯＮ処理を実行したのち（ステップＡ２５）、上述のステップＡ４に戻り、操作待ち状態となる。
【００３１】
一方、１セグ放送の一時録画の要否を問う確認メッセージが表示されている状態において（ステップＡ１０）、１セグ放送の一時録画を肯定する応答操作が行われたときには（ステップＡ１１でＹＥＳ）、現在の受信モードは、１２セグ受信モードであるかを調べる（ステップＡ１２）。いま、現在の受信モードが１２セグ受信モードの場合、つまり、１２セグ受信モードでのテレビ放送の受信出力中に一時中断が指示された場合には（ステップＡ１２でＹＥＳ）、サイマル放送の有無を調べるために１セグ放送の中に同一チャンネルで同一番組が含まれているか、言い換えれば、１２セグ放送で視聴されていたチャンネルの番組が１セグ放送でも現在放送中であるかを調べる（ステップＡ１３）。
【００３２】
ここで、１セグ放送にサイマル放送が無ければ（ステップＡ１３でＮＯ）、録画不可を示すメッセージを表示させる（ステップＡ２６）。そして、上述の場合と同様に、１２セグ放送の出力を停止させる出力ＯＦＦ処理を実行したのち（ステップＡ２７）、上述の中断終了が指示されるまで待ち状態となる（ステップＡ２８）。また、１セグ放送にサイマル放送が有れば（ステップＡ１３でＹＥＳ）、１２セグ受信モードから１セグ受信モードに切り替えると共に（ステップＡ１４）、テレビ放送の出力を停止させる出力ＯＦＦ処理を実行する（ステップＡ１５）。
【００３３】
そして、１２セグ受信モードから１セグ受信モードに切り替えたことを示すために１２セグフラグ（図示せず）をセットしたのち（ステップＡ１６）、１セグ受信モードで受信した１セグ放送の一時録画を開始して、その受信内容を録画メモリＲＤに書き込む（ステップＡ１７）。一方、現在の受信モードが１セグ受信モードであれば（ステップＡ１２でＮＯ）、そのままステップＡ１７に移り、１セグ受信モードで受信した１セグ放送の一時録画を開始する。
【００３４】
このようにして録画を開始したのちは、中断／終了キー８ｄが再び操作されて中断終了が指示されるまで待ち状態となる（ステップＡ１８）。いま、中断終了が指示されると、録画メモリＲＤの内容を最初から逐次再生出力する追っかけ再生を開始する（ステップＡ１９）。この追っかけ再生中においてＣＰＵ１は、現在の再生位置と録画位置とを比較し、再生位置が録画位置に追いついたか否かを監視し（ステップＡ２０）、再生位置が録画位置に追いつくまで録画動作を継続しながら再生動作を続ける。
【００３５】
いま、追っかけ再生中に再生位置が録画位置に追いついたときには（ステップＡ２０でＹＥＳ）、この時点で録画動作の終了を指示すると共に（ステップＢ２１）、その録画内容を削除する（ステップＢ２２）。そして、上述した１２セグフラグのセット有無を調べ（ステップＡ２３）、このフラグがセットされていなければ、１セグ放送の出力を中断していた場合であるから、１セグ放送の出力を再開させる出力ＯＮ処理を実行するが（ステップＡ２５）、１２セグフラグがセットされていれば（ステップＡ２３でＹＥＳ）、１セグ受信モードから元の１２セグ受信モードに切り替えたのち（ステップＡ２４）、１２セグ放送の出力を再開させる出力ＯＮ処理を実行する（ステップＡ２５）。その後、上述のステップＡ３に戻り、操作待ち状態となる。
【００３６】
図４は、電話着信の割込みに応じて実行開始されるフローチャートである。
先ず、ＣＰＵ１は、電話通信部６から着信信号を受信すると、報知部１０を駆動して着信報知を行う（ステップＢ１）。ここで、テレビ動作中（テレビ放送受信部１１が駆動中）であるかを調べたり（ステップＢ２）、オフフック釦８ａが操作されたかを調べたりするが（ステップＢ１３）、テレビ動作中ではなく（ステップＢ２でＮＯ）、オフフック釦８ａも操作されなければ（ステップＢ１３でＮＯ）、この時点で図４のフローの終了となる。
【００３７】
また、オフフック釦８ａが操作されたときには（ステップＢ１３でＹＥＳ）、通話可能状態とする通話処理を実行したのち（ステップＢ１４）、オンフック釦８ｂの操作待ち状態となる（ステップＢ１５）。ここで、オンフック釦８ｂが操作されると、回線切断を行ったのち（ステップＢ１６）、上述の一時中断の指示で実行開始される録画（一時録画）中かを調べるが（ステップＢ１７）、いま、テレビ動作中でなければ、一時録画中でもないので（ステップＢ１７でＮＯ）、この時点で図４のフローの終了となる。
【００３８】
一方、電話着信時にテレビ動作中であれば（ステップＢ２でＹＥＳ）、電話着信に応じてテレビ放送の出力を中断する旨のメッセージを表示させる（ステップＢ３）。そして、オフフック釦８ａの操作有無を調べ（ステップＢ４）、オフフック釦８ａが操作されなければ、この時点で図４のフローの終了となるが、オフフック釦８ａが操作されると（ステップＢ４でＹＥＳ）、テレビ放送の出力を停止させる出力ＯＦＦ処理を実行したのち（ステップＢ５）、既に録画実行中（別途録画中）であるかを調べる（ステップＢ６）。すなわち、別途録画中とは、上述の一時録画以外の録画を実行中であることを示し、現在視聴中の番組録画あるいは視聴以外の番組（裏番組）の録画を実行中であるかを調べる。いま、別途録画中であれば（ステップＢ６でＹＥＳ）、上述のステップＢ１４に移って通話処理を実行するが、別途録画中でなければ（ステップＢ６でＮＯ）、現在の受信モードは、１２セグ受信モードであるかを調べる（ステップＢ７）。
【００３９】
現在の受信モードが１２セグ受信モードの場合、つまり、１２セグ受信モードでのテレビ放送の受信出力中に着信が検出された場合には（ステップＢ７でＹＥＳ）、録画メモリＲＤの空き残量を検出して、この空き残量は所定容量を超えているかを調べる（ステップＢ８）。ここで、空き残量が所定容量以下であれば（ステップＢ８でＮＯ）、１２セグ受信モードから１セグ受信モードに切り替えると共に（ステップＢ１０）、１２セグ受信モードから１セグ受信モードに切り替えたことを示すために１２セグフラグ（図示せず）をセットしたのち（ステップＢ１１）、１セグ放送の一時録画を開始する（ステップＢ１２）。
【００４０】
また、録画メモリＲＤの空き残量が所定容量を超えていて、１２セグ放送を録画するのに十分な残量が有れば（ステップＢ８でＹＥＳ）、電源部２の電池残量を検出して、この電池残量は所定容量を超えているかを調べる（ステップＢ９）。ここで、残量が所定容量以下であれば、１２セグ受信モードから１セグ受信モードに切り替えると共に（ステップＢ１０）、１２セグフラグをセットしたのち（ステップＢ１１）、１セグ放送の一時録画を開始する（ステップＢ１２）。また、電池残量が所定容量を超えて、１２セグ放送を録画するのに十分な電池残量が有れば（ステップＢ９でＹＥＳ）、１２セグ放送の一時録画を開始する（ステップＢ１２）。一方、現在の受信モードが１セグ受信モードであれば（ステップＢ７でＮＯ）、そのままステップＢ１２に移り、１セグ放送の一時録画を開始する。
【００４１】
このようにして一時録画を開始したのちは（ステップＢ１２）、次のステップＢ１４に移り、通話処理を行う。ここで、オンフック釦８ａが操作されると（ステップＢ１５でＹＥＳ）、回線切断を行ったのち（ステップＢ１６）、一時中断指示に応じた一時録画中かを調べるが（ステップＢ１７）、いま、一時録画中でなければ（別途録画中の場合も含む）、この時点で図４のフローの終了となる。また、一時録画中であれば（ステップＢ１７でＹＥＳ）、一時録画した内容を再生出力させて確認するかを問う確認メッセージを表示させる（ステップＢ１８）。そして、録画内容を再生確認するために追っかけ再生が指示されたかを調べる（ステップＢ１９）。
【００４２】
いま、追っかけ再生が指示されたときには（ステップＢ１９でＹＥＳ）、一時録画を継続しつつその録画内容を１．５倍の速度で追っかけ再生する動作を開始する（ステップＢ１９）。この追っかけ再生中においてＣＰＵ１は、現在の再生位置と録画位置とを比較し、再生位置が録画位置に追いついたか否かを監視し（ステップＢ２２）、追いつくまで追っかけ再生を続ける。いま、再生位置が録画位置に追いついたときには（ステップＢ２２でＹＥＳ）、この時点で録画動作の終了を指示すると共に（ステップＢ２３）、その録画内容を削除する（ステップＢ２４）。そして、１２セグフラグがセットされているかを調べ（ステップＢ２５）、セットされていれば、１セグ受信モードから元の１２セグ受信モードに切り替えたのち（ステップＢ２６）、１２セグ放送の出力を再開させる出力ＯＮ処理を実行するが（ステップＢ２７）、１２セグフラグがセットされていなければ（ステップＢ２５でＮＯ）、１セグ放送の出力を再開させる出力ＯＮ処理を実行する（ステップＢ２７）。
【００４３】
また、追っかけ再生が指示されなければ（ステップＢ１９でＮＯ）、録画動作の終了を指示して一時録画を終了させる（ステップＢ２０）。そして、１２セグフラグがセットされていれば（ステップＢ２５でＹＥＳ）、１セグ受信モードから元の１２セグ受信モードに切り替えたのち（ステップＢ２６）、１２セグ放送の出力を再開させる出力ＯＮ処理を実行する（ステップＢ２７）。また、１２セグフラグがセットされていなければ（ステップＢ２５でＮＯ）、１セグ放送の出力を再開させる出力ＯＮ処理を実行する（ステップＢ２７）。このように再生が指示されなければ、一時録画を終了させたのち、その録画内容は後で視聴されるものとして保存したまま放送出力を開始させる。
【００４４】
以上のように、この実施形態においてＣＰＵ１は、高解像度のデジタルテレビ放送を受信する１２セグ受信モードでのテレビ放送の受信出力中にその視聴を一時中断が指示された際に、低解像度のデジタルテレビ放送を受信する１セグ受信モードに切り替えると共に、この１セグ受信モードで受信したテレビ放送の録画を開始するようにしたので、現在のメモリ残量、電池残量などの状況下で効果的な録画を実現できるほか、ユーザにあっては高解像度によるテレビ視聴中に、その視聴をどうしても一時中断しなければならないような状況になっても、一時中断中での放送内容を後で視聴することができる。
【００４５】
テレビ放送の受信出力中に一時中断が指示されたときの受信モードが１２セグ受信モードであることを条件に、１セグ受信モードに切り替えるようにしたので、特別な操作を行わなくても受信モードを切り替えることができる。
【００４６】
１セグ受信モードへの切り替えに先立って、１２セグ受信モードで受信していた番組と同一番組を１セグ受信モードで受信可能であることを条件に、１セグ受信モードに切り替えるようにしたので、受信モードが切り替わっても同一番組を引き続き視聴することができる。
【００４７】
１セグ受信モードへの切り替えに先立って、既に録画実行中（別途録画中）でないことを条件に、１セグ受信モードに切り替えるようにしたので、既に実行中の録画への影響を防ぐことができる。
【００４８】
１セグ受信モードへの切り替えに先立って、録画メモリＲＤの空き残量が所定容量以下であることを条件に、１セグ受信モードに切り替えるようにしたので、録画途中での空き残量不足を極力抑えることができる。例えば、１２セグ放送を５分間録画するのに必要とされる録画メモリＲＤの使用容量（ＭＢ）は、１２セグ放送の符号化レートを２０Ｍbpsとすると、２０Ｍbps÷８×６０秒×５分＝約７５０ＭＢとなるのに対して、１セグ放送を５分間録画するのに必要とされる録画メモリＲＤの使用容量（ＭＢ）は、１セグ放送の符号化レートを２５６kbpsとすると、２５６bps÷８×６０秒×５分＝約９．６ＭＢとなり、１セグ放送録画時の使用容量を大幅に削減することができる。
【００４９】
１セグ受信モードへの切り替えに先立って、電源電池の残量が所定容量以下であることを条件に、１セグ受信モードに切り替えるようにしたので、録画途中での電池残量不足を極力抑えることができる。
【００５０】
１２セグ受信モードでのテレビ放送の受信出力中に電話着信が検出されたか否かに基づいて一時中断が指示されたか否かを判別するようにしたので、１２セグ放送の視聴中での着信時に、１２セグ放送の受信出力を中断して１セグ放送を録画することができる。
【００５１】
一時中断の終了が指示された際に、１セグ受信モードで録画した録画内容の再生を開始するようにしたので、中断解除の直後に中断中に放送されていた内容を視聴することができる。
【００５２】
録画内容の再生が終了した際に、１セグ受信モードでの録画を終了すると共に、１２セグ受信モードに切り替えるようにしたので、再生終了の直後に高音質の放送を視聴することができる。
【００５３】
一時中断の終了が指示された際に、１セグ受信モードでの録画を終了すると共に、１２セグ受信モードに切り替えるようにしたので、中断解除の直後に現在の放送内容を視聴することができる、中断中の録画内容は後で視聴することができる。
【００５４】
なお、上述した実施形態においては、一時中断の指示をテレビ放送の受信出力中に中断／終了キー８ｄが操作されたとき、あるいは電話着信が検出されたときとしたが、録画メモリＲＤの空き残量が所定容量以下のメモリ残量不足となったとき、電源電池の残量が所定容量以下の電池残量不足となったときを一時中断の指示としてもよく、このメモリ残量不足、電池残量不足で１２セグ受信モードから１セグ受信モードに切り替えて一時録画を行ったのち、既存の録画内容の消去や新たなメモリの追加などによってメモリ残量不足が解消されたり、充電器に接続されて電池残量不足が解消したりしたときに、１セグ受信モードから１２セグ受信モードに切り替えるようにしてもよい。
【００５５】
また、上述した実施形態において、追っかけ再生とて１．５倍で再生するようにしたが、その早送り速度は任意であり、また、追っかけ再生にも限らず、再生時には通常の倍速で再生するようにしてもよい。
その他、デジタル放送受信機能を備えた携帯電話装置に限らず、デジタル放送受信機能を備えたパーソナルコンピュータ・ＰＤＡ（個人用の携帯情報端末）などのほか、デジタルテレビ装置自体であってもよい。
【図面の簡単な説明】
【００５６】
【図１】デジタル放送受信装置として適用したデジタル放送受信機能を備えた携帯電話装置の基本的な構成要素を示したブロック図。
【図２】１２セグ放送の受信出力中にその一時中断が指示された際に、それ以降の動作内容を時系列的に説明するための図で、（ａ）は、放送の受信状況、（ｂ）は、録画状況、（ｃ）は、視聴状況を示した図。
【図３】テレビオン／オフキー８ｃによってテレビ放送受信部１１の起動が指示された際に実行開始されるフローチャート。
【図４】電話着信の割込みに応じて実行開始されるフローチャート。
【符号の説明】
【００５７】
１  ＣＰＵ
２  電源部
３  記憶部
６  電話通信部
４  記録メディア
８  操作部
９  表示部
１０  報知部
１１  テレビ放送受信部
１２  サウンドスピーカ
８ａ  オフフック釦
８ｂ  オンフック釦
８ｃ  テレビオン／オフキー
８ｄ  中断／終了キー
ＲＤ  録画メモリ
【図１】
2010087710.tif 000003
【図２】
2010087710.tif 000004
【図３】
2010087710.tif 000005
【図４】
2010087710.tif 000006